(57)【要約】【課題】容器の中に空気が連続的に細かく送り込まれ、脈動を起こさずにスムーズに容器から液体を注ぐことができると共に、容器をどの角度で持って注いでも脈動を起こさずスムーズに注ぐことができる。【解決手段】ペットボトル１の口部２に着脱自在に装着される装着部１１と、装着部１１の内側に形成された筒状の仕切り壁１３と、装着部１１と仕切り壁１３のペットボトル１内部側の端部を連結した底部１４と、底部１４に等間隔に複数個設けられた小孔よりなる空気孔１５とからなり、仕切り壁１３の内側が液排出筒部２０に形成され、仕切り壁１３と装着部１１間が空気導入空間部２１に形成されている。【選択図】      図１
2006096350.tif 000002
【特許請求の範囲】
【請求項１】
容器の口部の内面に配設される装着部と、この装着部の内側に形成された筒状の仕切り壁と、前記装着部と前記仕切り壁の容器内部側の端部を連結した底部と、この底部又は前記装着部の前記底部側若しくは前記装着部と前記底部との角部に、等間隔に複数個設けられた小孔の空気孔とからなり、前記仕切り壁の内側が液排出筒部に形成され、前記仕切り壁と前記装着部間が空気導入空間部に形成されていることを特徴とする容器用脈動防止具及び脈動防止具付き容器。
【請求項２】
前記装着部は、容器の口部の内面に着脱自在に装着されるか、又は容器の口部の内面に一体的に固着されるか、若しくは容器の口部自体であることを特徴とする請求項１記載の容器用脈動防止具及び脈動防止具付き容器。
【請求項３】
容器の口部の内側に配設される筒状の仕切り壁と、この仕切り壁の下端より前記口部の下方部内面方向に伸び、該内面に圧接される厚さを有する底部と、この底部に等間隔に複数個設けられた小孔の空気孔とからなり、前記仕切り壁の内側が液排出筒部に形成され、前記仕切り壁と前記口部間が空気導入空間部に形成されていることを特徴とする容器用脈動防止具。
【請求項４】
容器の口部の内側に配設される筒状の仕切り壁と、この仕切り壁の下端より前記口部の下方部内面方向に伸びた底部と、この底部より上方に外側に傾斜して形成され前記口部に弾性的に圧接する弾性圧着部と、前記底部に等間隔に複数個設けられた小孔の空気孔とからなり、前記仕切り壁の内側が液排出筒部に形成され、前記仕切り壁と前記口部間が空気導入空間部に形成されていることを特徴とする容器用脈動防止具。
【請求項５】
前記空気孔の数は、３〜８個であることを特徴とする請求項１、３又は４記載の容器用脈動防止具及び脈動防止具付き容器。
【発明の詳細な説明】
【技術分野】
【０００１】
本発明は、容器の口部に装着又は一体的に設けられ、液体の注ぎ時に発生する脈動を防止する容器用脈動防止具及び脈動防止具付き容器に関する。
【背景技術】
【０００２】
例えばペットボトルより液体を注ぐ時に、ペットボトルの口部より流れる液体が脈動するのを防止する容器用脈動防止具及び脈動防止具付き容器として、種々の構造のものが提案されているが、これらは次の２つの大別される。
第１は、口部より容器内部に向けて空気路を形成するか、または空気路用パイプを装着したものである。
第２は、大孔である液体排出口と小孔である空気孔とを設けたものである。
【特許文献１】特開２０００−３１３４８６号公報
【特許文献２】特開２００１−  ４８２１２号公報
【特許文献３】特開２００２−３０２１２２号公報
【特許文献４】特開２００４−  １８００８号公報
【発明の開示】
【発明が解決しようとする課題】
【０００３】
第１の空気路又は空気路用パイプを設けたタイプは、空気路又は空気路用パイプが細かいと、液体の表面張力で液体による栓ができ、空気をうまく導入できないことが生じることがある。また空気路又は空気路用パイプを大きくすると、空気が固まりになって導入され、脈動を起こすようになる。
第２の単に大きな孔と小さい孔を設けたタイプは、前記第１のタイプに比べて脈動防止の信頼性は低い。
また第１及び第２のタイプも、空気路、空気路用パイプ、空気孔の小孔が必ず上方になるように設け、また上方にして液体を注ぐ必要がある。
【０００４】
本発明の課題は、容器の中に空気が連続的に細かく送り込まれ、脈動を起こさずにスムーズに容器から液体を注ぐことができると共に、容器をどの角度で持って注いでも脈動を起こさずスムーズに注ぐことができる容器用脈動防止具及び脈動防止具付き容器を提供することにある。
【課題を解決するための手段】
【０００５】
上記課題を解決するための本発明の請求項１は、容器の口部の内面に配設される装着部と、この装着部の内側に形成された筒状の仕切り壁と、前記装着部と前記仕切り壁の容器内部側の端部を連結した底部と、この底部又は前記装着部の前記底部側若しくは前記装着部と前記底部との角部に、等間隔に複数個設けられた小孔の空気孔とからなり、前記仕切り壁の内側が液排出筒部に形成され、前記仕切り壁と前記装着部間が空気導入空間部に形成されていることを特徴とする。
【０００６】
上記課題を解決するための本発明の請求項２は、請求項１において、前記装着部は、容器の口部の内面に着脱自在に装着されるか、又は容器の口部の内面に一体的に固着されるか、若しくは容器の口部自体であることを特徴とする。
【０００７】
上記課題を解決するための本発明の請求項３は、容器の口部の内側に配設される筒状の仕切り壁と、この仕切り壁の下端より前記口部の下方部内面方向に伸び、該内面に圧接される厚さを有する底部と、この底部に等間隔に複数個設けられた小孔の空気孔とからなり、前記仕切り壁の内側が液排出筒部に形成され、前記仕切り壁と前記口部間が空気導入空間部に形成されていることを特徴とする。
【０００８】
上記課題を解決するための本発明の請求項４は、容器の口部の内側に配設される筒状の仕切り壁と、この仕切り壁の下端より前記口部の下方部内面方向に伸びた底部と、この底部より上方に外側に傾斜して形成され前記口部に弾性的に圧接する弾性圧着部と、前記底部に等間隔に複数個設けられた小孔の空気孔とからなり、前記仕切り壁の内側が液排出筒部に形成され、前記仕切り壁と前記口部間が空気導入空間部に形成されていることを特徴とする。
【０００９】
上記課題を解決するための本発明の請求項５は、請求項１、３又は４において、前記空気孔の数は、３〜８個であることを特徴とする。
【発明の効果】
【００１０】
容器の口部を下方に傾けた場合、複数個の空気孔の内のいずれかが液排出筒部の中心より上方に位置するので、容器への脈動防止具の装着に神経を使う必要がなく、また液体を注ぐ時に容器を持つ位置についても神経を使う必要がない。容器内の液体は筒状の液排出筒部より排出され、空気は液排出筒部の周囲の広いリング状の空気導入空間部から小さい空気孔に流入するので、空気が連続的に細かく容器内に送り込まれ、脈動を起こさずスムーズに容器から液体を注ぐことができる。液体と空気の入れ替えがより安定的に行われ、この点からも脈動をより効果的に防止することができる。
【発明を実施するための最良の形態】
【００１１】
本発明の容器用脈動防止具の第１の実施の形態を図１及び図２により説明する。ペットボトル１の口部２に着脱自在に装着される脈動防止具１０は、樹脂材により一体成形されており、図２に示すような構造となっている。なお、３は図示しないキャップが螺合されるねじ部を示す。
脈動防止具１０は、口部２の内面に素材の弾力で装着される装着部１１を有し、この装着部１１の上面には口部２の端面に当接するつば部１２が形成されている。装着部１１の内側には円筒状よりなる仕切り壁１３が形成されており、装着部１１と仕切り壁１３のペットボトル１内の端部は底部１４で連結されている。底部１４には同心で等間隔に４個の小孔よりなる空気孔１５が形成されている。
【００１２】
そこで、仕切り壁１３の内側は液排出筒部２０となる。また仕切り壁１３と装着部１１間及び底部１４とからなるリング状の空間は、空気導入空間部２１となる。
【００１３】
次に作用について説明する。図１に示すように、ペットボトル１の口部２に脈動防止具１０の装着部１１を挿入する。そこで、ペットボトル１内の液体を注ぐ場合、ペットボトル１をどの角度で持って口部２を下方に傾けても、４個の空気孔１５の内のいずれかが液排出筒部２０の中心より上方に位置する。このため、液体を注ぐ際、空気導入空間部２１の空気が空気孔１５を通してペットボトル１内に流入し、その流入分の液体が液排出筒部２０から排出され、空気と液体の入れ替えが安定的に制御される。これにより、液体を注ぐ時に発生する脈動が防止される。
【００１４】
このように、４個の空気孔１５の内のいずれかが液排出筒部２０の中心より上方に位置するので、ペットボトル１への脈動防止具１０の装着に神経を使う必要がなく、また液体を注ぐ時にペットボトル１を持つ位置についても神経を使う必要がない。
またペットボトル１内の液体は筒状の液排出筒部２０より排出され、空気は液排出筒部２０の周囲の広いリング状の空気導入空間部２１から小さい空気孔１５に流入するので、空気が連続的に細かくペットボトル１内に送り込まれ、脈動を起こさずスムーズにペットボトル１から液体を注ぐことができる。液体と空気の入れ替えがより安定的に行われ、この点からも脈動をより効果的に防止することができる。
【００１５】
図３及び図４はそれぞれ本発明の容器用脈動防止具１０の第２及び第３の実施の形態を示す。図３は空気孔１５を装着部１１の先端部に形成し、図４は空気孔１５を装着部１１と底部１４の角部に形成してなる。このような位置に空気孔１５を形成しても前記実施の形態と同様の効果が得られる。また図３及び図４の実施の形態においては、ペットボトル１より傾けた場合、液排出筒部２０の中心より上方の空気孔１５は図２の場合より上方に向くので、脈動防止にはより効果的である。しかし、図３及び図４の場合は、空気孔１５が口部２の内面の下端よりペットボトル１内に突出した位置に設ける必要がある。
【００１６】
図５及び図６はそれぞれ本発明の容器用脈動防止具１０の第４の実施の形態を示す。なお、前記実施の形態と同じ又は相当部分には同一符号を付し、その詳細な説明は省略する。本実施の形態は、前記実施の形態の装着部１１を有しなく、底部１４は口部２の下方部の内面４に圧接される厚さを有している。そこで、仕切り壁１３の内側は液排出筒部２０となる。また仕切り壁１３と口部２の内面４間及び底部１４とからなるリング状の空間は、空気導入空間部２１となる。このように形成しても前記実施の形態と同様の効果が得られる。
【００１７】
図７は本発明の容器用脈動防止具１０の第５の実施の形態を示す。本実施の形態は、底部１４より上方に外側に傾斜して口部２の内面４に弾性的に圧接する弾性圧着部１６が形成されている。従って、本実施の形態も前記第４の実施の形態と同様に、仕切り壁１３の内側は液排出筒部２０となる。また仕切り壁１３と口部２の内面４間及び底部１４とからなるリング状の空間は、空気導入空間部２１となる。このように形成しても前記実施の形態と同様の効果が得られる。また本実施の形態においては、口部２の内面４の内径がある程度ばらついていても対応できるという効果が得られる。なお、本実施の形態において、弾性圧着部１６を蛇腹に形成して弾性を持たせてもよい。
【００１８】
図８は本発明の容器用脈動防止具１０の第６の実施の形態を示す。本実施の形態は図６の第４の実施の形態の変形例を示す。即ち、第４の実施の形態においては、底部１４のほぼ中央に空気孔１５を設けたが、本実施の形態は底部１４の端部に空気孔１５を設けたものである。このように形成しても前記実施の形態と同様の効果が得られる。
【００１９】
前記各実施の形態は、脈動防止具１０をペットボトル１に着脱自在に設けたが、脈動防止具１０をペットボトル１と一体的に形成して脈動防止具付き容器としてもよい。この場合は、装着部１１が口部２となる。また脈動防止具１０を別体で形成してペットボトル１に一体的に固着して脈動防止具付き容器としてもよい。また空気孔１５は４個の限定されるものではなく、複数個であればよく、特に４個〜６個が好ましい結果が得られた。
【００２０】
また仕切り壁１３は円筒状に形成したが、多角形の筒状でもよい。また前記第１乃至第３の実施の形態において、空気導入空間部２１はリング状に形成したが、複数個に区切ってもよい。しかし、リング状にしたほうが空気導入空間部２１が広くなり好ましい。
【００２１】
また、上記実施の形態においては、ペットボトルに適用した場合について説明したが、例えばペットボトル等のプラスチック容器以外のお酒を入れたビン、醤油を入れた１８リットル缶、石油缶、ポリタンク、アルミ缶等にも適用できる。
【図面の簡単な説明】
【００２２】
【図１】本発明の第１の実施の形態の脈動防止具を装着した容器の要部断面図である。
【図２】本発明の第１の実施の形態の脈動防止具を示し、（ａ）は縦断面図、（ｂ）は平面図、（ｃ）は底面頭である。
【図３】本発明の第２の実施の形態の脈動防止具を示し、（ａ）は縦断面図、（ｂ）は平面図、（ｃ）は底面頭である。
【図４】本発明の第３の実施の形態の脈動防止具を示し、（ａ）は縦断面図、（ｂ）は平面図、（ｃ）は底面頭である。
【図５】本発明の第４の実施の形態の脈動防止具を装着した容器の要部断面図である。
【図６】本発明の第４の実施の形態の脈動防止具を示し、（ａ）は縦断面図、（ｂ）は平面図、（ｃ）は底面頭である。
【図７】本発明の第５の実施の形態の脈動防止具を示し、（ａ）は縦断面図、（ｂ）は平面図、（ｃ）は底面頭である。
【図８】本発明の第６の実施の形態の脈動防止具を示し、（ａ）は縦断面図、（ｂ）は平面図、（ｃ）は底面頭である。
【符号の説明】
【００２３】
１    ペットボトル
２    口部
４    内面
１０    脈動防止具
１１    装着部
１３    仕切り壁
１４    底部
１５    空気孔
１６    弾性圧着部
２０    液排出筒部
２１    空気導入空間部
【図１】
2006096350.tif 000003
【図２】
2006096350.tif 000004
【図３】
2006096350.tif 000005
【図４】
2006096350.tif 000006
【図５】
2006096350.tif 000007
【図６】
2006096350.tif 000008
【図７】
2006096350.tif 000009
【図８】
2006096350.tif 000010